(57)【特許請求の範囲】
【請求項１】
弾性シート状をなし、表面に缶、瓶その他の販売商品を表示した商品表示体と、該商品表示体を円弧状に湾曲させた状態で保持する表示体支持部材とを有し、前記商品表示体を、自動販売機の商品表示窓内に設置した商品見本展示用ステージ上に取り外し自在に立設させるようにしてなる自動販売機用商品見本において、
前記表示体支持部材は、前記商品見本展示用ステージ上に、向きを１８０度変更可能に設置される底板部と、該底板部から立設した枠状部とを備え、前記枠状部には、その前面及び背面に、前記商品表示体の両縁を係止する左右１対の商品表示体係止部をそれぞれ備え、その各対の商品表示体係止部の間隔を、前記枠状部の前面側と背面側とで互いに違え、前記表示体支持部材の前面及び背面に大きさの異なった商品表示体を着脱自在にしたことを特徴としてなる自動販売機用商品見本。
【請求項２】
表示体支持部材の枠状部は、中央部分が開放された額縁状に成形され、その両側部の縦材に商品表示体係止部を備えてなる請求項１に記載の自動販売機用商品見本。
【発明の詳細な説明】
【０００１】
【発明の属する技術分野】
本発明は、主として、缶又は瓶入りの清涼飲料や酒類を販売する自動販売機の商品見本展示窓内に設置する自動販売機用商品見本に関する。
【０００２】
【従来の技術】
従来、この種の自動販売機用商品見本としては、その照明方式として、商品見本の底部からその内部を照明するアンダーライト方式と、商品見本の背部からその内部を照明するバックライト方式がある。これらの方式は、何れも商品表示体として透光性のフィルムを使用し、該フィルムに商品と同じ印刷を施し、商品見本内部から照明するものであり、商品見本が鮮明に浮き出るような照明がなされ、商品イメージを高め、消費者の購買欲を惹起させる点で優れている。
【０００３】
また、これらの商品見本は、色あせが生じると、商品イメージを低下させ、著しく消費者の購買欲を低下させることが経験的に判明しており、このため、商品見本を常に新しくしておく必要がある。
【０００４】
このため、従来は、商品見本展示用ステージに対して着脱自在な表示体支持部材に、前述した商品表示体を取換え可能に支持させ、短期間毎の取換えであっても低コストで行えるようにしている。
【０００５】
また、一般に缶入りの清涼飲料には、例えば、頂部の直径が胴部より小さくなった所謂肩付きの缶の場合、２８０ｍｌ缶、３５０ｍｌ缶、５００ｍｌ缶の３種類があり、また、胴部と頂部が略同径の所謂ストレート缶にあっては、１７０ｍｌ缶、１９０ｍｌ缶、２５０ｍｌ缶等各種の大きさのものがあり、これらを販売する自動販売機では、場所、地域、季節等の条件や新製品の発売等によって販売商品を適宜変更している。このように販売商品を変更する場合には、当然に商品見本もこれに対応させて変更する必要がある。そこで、商品見本の変更をより低コストで行うべく、大きさや形状の異なった缶及び瓶の商品見本を表示した複数種類の形状の異なった表示体を、これらに共通の表示体支持部材に着脱可能とし、表示体支持部材の種類を減らすことによって、表示体に比べて寿命の長い表示体支持部材の数量を減少させるようにした各種の自動販売機用商品見本が提案されている。
【０００６】
【発明が解決しようとする課題】
しかし、複数種類の表示体を取換え使用可能にした従来の自動販売機用商品見本は、構造が複雑なものが多く、また、構造が簡単であっても、商品見本展示用ステージ等の取り付け構造をも変更しなければならず、最初の設備投資が嵩むという問題があった。
【０００７】
本発明は、上述の如き従来の問題に鑑み、従来使用している商品展示用ステージをそのまま利用し、全体の構造が簡単で製造コストが低く、しかも表示体の取換え操作が容易に行える自動販売機用商品見本の提供を目的としてなされたものである。
【０００８】
【課題を解決するための手段】
上述の如き従来の問題を解決し、所期の目的を達成するための本発明の特徴は、弾性シート状をなし、表面に缶、瓶その他の販売商品を表示した商品表示体と、該商品表示体を円弧状に湾曲させた状態で保持する表示体支持部材とを有し、前記商品表示体を、自動販売機の商品表示窓内に設置した商品見本展示用ステージ上に取り外し自在に立設させるようにしてなる自動販売機用商品見本において、前記表示体支持部材は、前記商品見本展示用ステージ上に、向きを１８０度変更可能に設置される底板部と、該底板部から立設した枠状部とを備え、前記枠状部には、その前面及び背面に、前記商品表示体の両縁を係止する左右１対の商品表示体係止部をそれぞれ備え、その各対の商品表示体係止部の間隔を、前記枠状部の前面側と背面側とで互いに違え、前記表示体支持部材の前面及び背面に大きさの異なった商品表示体を着脱自在にしたことにある。
【０００９】
尚、表示体支持部材の枠状部は、中央部分が開放された額縁状に成形され、その両側部の縦材に商品表示体係止部を備えることが好ましい。
【００１０】
【発明の実施の形態】
次に本発明の実施の形態を図面について説明する。
【００１１】
図において、Ａは本発明に係る商品見本であり、Ｂは自動販売機の前面扉に備えた商品見本陳列窓、Ｃは該陳列窓Ｂ内に棚状に設置した商品見本展示用ステージである。
【００１２】
商品見本展示用ステージＣは、水平配置の見本設置部１とその前縁を下向きに垂下させた形状の価格等表示部２とを有し、内部に蛍光灯からなる光源３が設置されている。見本設置部１には複数の見本着脱孔４が開口されており、この見本着脱孔４にそれぞれ商品見本Ａが着脱されるようになっているとともに、該見本着脱孔４を通して光源３により商品見本Ａの内部を照明するようになっている。
【００１３】
また、背景版５に光透過性の材料が使用され、その背面にも照明用の光源６が設置され、商品見本Ａの背面からも照明させるようにしている。
【００１４】
商品見本Ａは、図２に示すように、表示体支持部材１０と、これに着脱自在な２種類の大きさの商品表示体１１ａ又は１１ｂとから構成されている。
【００１５】
表示体支持部材１０は、図３〜図６に示すように、円形をした底板部１２と、その上面にこれと一体に立設した枠状部１３を有している。底板部１２には中央に光透過孔１４が開口され、該光透過孔１４の周縁部下面には、短筒状のステージ係合用筒部１５が一体成形されている。このステージ係合用筒部１５には、左右の対称な位置に一部を切り欠いてバネ片部１６が形成され、該バネ片部１６の先端にあって、前記ステージ係合用筒部１５の下端外周位置に抜け止め突起１７が突設されている。
【００１６】
また、バネ片部１６の先端部の、ステージ係合用筒部外周側面には、縦向に節度用突起１８が突設されているとともに、これと小間隔を隔てた位置にストッパー用突起１９が突設されている。
【００１７】
一方前述した商品見本展示用ステージＣの見本設置部１開けた見本着脱孔４には、図７に示すように、互いに１８０度隔てた対称な位置に、着脱用切り欠き部２０，２０が設けられ、前述した表示体支持部材１０が、前面側又は背面側のいずれをも窓外に向けられるように、向きを１８０度変更可能にしている。
【００１８】
各着脱切り欠き部２０は突起通過用切り欠き部２０ａ、及びこれに連続した配置に、これより浅い節度用切り欠き部２０ｂが形成されている。
【００１９】
そして、図８（ａ）に示すように、この見本着脱孔４の切り欠き部２０ａを通して抜け止め突起１７を見本設置部１の裏側に通過させ、この状態で旋回させることによって、図８（ｂ）に示すように、抜け止め突起１７が見本設置部１の下面下に移動し、ステージ係合筒部１５が抜け止めされるようになっている。
【００２０】
また、この時、ストッパー用突起１９が節度用切り欠き部２０ｂの端部に当接して回り止めされると同時に、節度用切り欠き部２０ｂ中央部分に設けた節度凹部２２内に節度用突起１８がバネ片部１６の弾性によって落ち込み、逆方向の回り止めがなされるようになっている。
【００２１】
底板部１２の上面には、枠状部１３の前後に位置して底辺ガイド用突起２３ａ，２３ｂが突設されている。この底辺ガイド用突起２３ａ，２３ｂは、略半円筒形状をなし、底板部１２の該周縁に沿って、その梢中心側に一体に成形されている。
【００２２】
枠状部１３は、底板部１２を前後に略２分する配置に突設され、底板上面に突設された底辺部横材３０、該底辺部横材３０の左右両端部上面により突出された左右の縦材３１，３１及び両縦材３１，３１の上端間を連結した配置の上辺部横材３２によって中央部分が開放された長方形の額縁状に形成されている。
【００２３】
この枠状部１３を構成している左右の両縦材３１，３１の前面及び背面に、大きさの異なった商品表示体着脱自在に係止する商品表示体係止部３３，３３及び３４，３４が備えられている。一方の係止部３３，３３は、両縦部材３１，３１の両外側縁部より、背面側斜め内側に向けた平面がハ字状の係止片３５，３５によって構成され、各縦材３１と係止片３５とによって形成される断面が楔状の縦向溝が各係止部３３となっている。
【００２４】
また、他方の係止部３４，３４は、前述した係止片３５，３５の後縁部を枠状部前面側に延長させた配置の、平面が互いに拡開するハ字状となった延長片部３６，３６の先端側縁部にそれぞれ備えられている。この延長片部３６，３６の先端縁より、前面側斜め内側に向けた平面が前述とは逆向きのハ字状の係止片３７，３７によって係止部３４，３４が構成され、各延長片部３６と係止片３７とによって形成される断面が楔状の縦向溝が各係止部３４となっている。
【００２５】
このようにして枠状部１３の、前面側の係止部３４，３４間の間隔が背面側の係止部３３，３３間の間隔より大きくなるように構成している。
【００２６】
商品表示体１１ａ、１１ｂは、方形状をした合成樹脂製の弾性シート状材に商品の外形を表す印刷を施したものを使用し、これを図２に示すように縦向の略半円筒状に湾曲させ、両縁を前述した係止部３３，３３又は３４，３４内に挿入することによって表示体支持部材１０に支持させるようにしている。また、この時、商品表示体１１ａ及び１１ｂの下縁部背面が、底辺ガイド用突起２３ａ又は２３ｂの外側に沿わされるようになっている。
【００２７】
このように構成される自動販売機用商品見本は、大きさの異なった商品に対応させた２種類の商品表示体１１ａ，１１ｂが表面側及び背面側にそれぞれ着脱自在に支持させるものであり、販売する商品に合わせた大きさの商品表示体を、その大きさに合った表面側又は背面側の係止部に係止させ、これを窓外方向に向けて商品見本展示用ステージＣに設置するものである。
【００２８】
尚、上述の実施例では、表示体支持部材１０の枠状部１３を額縁状に成形した例を示しているが、必ずしも額縁状である必要はなく、例えば、底板部１２から２本の縦材３１，３１のみを突設したものであってもよい。
【００２９】
また、各係止部３３，３４は断面が楔形の縦溝状に構成しているが、商品表示体１１ａ，１１ｂの両縁部を係止して保持できる構造であれば、他の形態のものであってもよい。
【００３０】
更に、上述した商品表示体は、方形状の弾性シート状材からなる所謂ストレート缶を示しているが、この他、胴部に比べて頂面の径が小さい所謂肩付き缶形状のものであってもよく、更に瓶形状のものであってもよい。
【００３１】
【発明の効果】
上述のように、本発明に係る自動販売機用商品見本は、弾性シート状をなし、表面に缶、瓶その他の販売商品を表示した商品表示体と、該商品表示体を円弧状に湾曲させた状態で保持する表示体支持部材とを有し、前記商品表示体を、自動販売機の商品表示窓内に設置した商品見本展示用ステージ上に取り外し自在に立設させるようにしてなる自動販売機用商品見本において、前記表示体支持部材は、前記商品見本展示用ステージ上に、向きを１８０度変更可能に設置される底板部と、該底板部から立設した枠状部とを備え、前記枠状部には、その前面及び背面に、前記商品表示体の両縁を係止する左右１対の商品表示体係止部をそれぞれ備え、その各対の商品表示体係止部の間隔を、前記枠状部の前面側と背面側とで互いに違え、前記表示体支持部材の前面及び背面に大きさの異なった商品表示体を着脱自在にしたことにより、１つの表示体支持部材に、２種類の大きさの商品表示体を支持させて表示させることができ、しかも、その構造は、枠状部の前背面に異なった間隔の係止部を設けているだけの形状であるため、その構造が簡単で、低い製造コストで提供でき、経済性が高い。
【００３２】
また、本発明は、表示体支持部材の枠状部を、中央部分が開放された額縁状に成形され、その両側部の縦材に商品表示体係止部を備えることによって、単純な形状で強度の高い構造となり、また、例えば商品見本陳列窓内の背景版を通した照明によって商品表示体の内面が照明されることとなり、鮮明でアピール度合いの高い商品見本となる。
【図面の簡単な説明】
【図１】本発明に係る自動販売機用商品見本の実施の一例を示す断面図である。
【図２】図１中の商品見本を示す分解斜視図である。
【図３】図２中の表示体支持部材を示す平面図である。
【図４】同上の正面図である。
【図５】同上の底面図である。
【図６】図４中のＡ−Ａ線断面図である。
【図７】図１中の商品見本展示用ステージを示す平面図である。
【図８】商品見本展示用ステージに対する表示体支持部材の係合状態を示す説明用部分断面図である。
【符号の説明】
Ａ  商品見本
Ｂ  商品見本陳列窓
Ｃ  商品見本展示用ステージ
１  見本設置部
２  価格等表示部
３  光源
４  見本着脱孔
５  背景版
６  光源
１０  表示体支持部材
１１ａ，１１ｂ  商品表示体
１２  底板部
１３  枠状部
１４  光透過孔
１５  ステージ係合用筒部
１６  バネ片部
１７  抜け止め突起
１８  節度用突起
１９  ストッパー用突起
２０  着脱用切り欠き部
２０ａ  突起通過用切り欠き部
２０ｂ  節度用切り欠き部
２２  節度用凹部
２３ａ，２３ｂ  底辺ガイド用突起
３０  底辺部横材
３１  縦材
３２  横材
３３  係止部
３４  係止部
３５  係止片
３６  延長片部
３７  係止片
【図１】
0003548789.tif 000002
【図２】
0003548789.tif 000003
【図３】
0003548789.tif 000004
【図４】
0003548789.tif 000005
【図５】
0003548789.tif 000006
【図６】
0003548789.tif 000007
【図７】
0003548789.tif 000008
【図８】
0003548789.tif 000009